(57)【要約】【課題】引出しの傾きを容易に調整し、精度よく収納庫内に引出しを納めることができる収納家具を提供することを課題とする。【解決手段】前方に開口した収納庫１３と、該収納庫の開口部１３ａを閉塞する前板５を前面に有して前記収納庫内に前後にスライド自在に収納される引出し１４と、前記収納庫内の底部領域において前後方向に配置され固定される固定レール９と、該固定レールと組み合わされ前記引出しを前後にスライド自在とする可動レール８とを備えた収納家具４であって、前記引出しは前記前板の下部と連結され前記前板を立上げ支持する底部躯体（７）を有し、該底部躯体の前部側には、前記可動レールに対する前記底部躯体の前部高さ位置を調整可能な調整具１０が設けられていることを特徴とする【選択図】図１
2010194006.tif 000002
【特許請求の範囲】
【請求項１】
前方に開口した収納庫と、該収納庫の開口部を閉塞する前板を前面に有して前記収納庫内に前後にスライド自在に収納される引出しと、前記収納庫内の底部領域において前後方向に配置され固定される固定レールと、該固定レールと組み合わされ前記引出しを前後にスライド自在とする可動レールとを備えた収納家具であって、
前記引出しは前記前板の下部と連結され前記前板を立上げ支持する底部躯体を有し、該底部躯体の前部側には、前記可動レールに対する前記底部躯体の前部の高さ位置を調整可能な調整具が設けられていることを特徴とする収納家具。
【請求項２】
請求項１において、
前記調整具は、その下端が前記可動レールの上面に当接する一方、その上部が前記底部躯体の前方側上面に露出するよう設けられ、該底部躯体の上方から前記調整具を操作可能とされたことを特徴とする収納家具。
【請求項３】
請求項１又は請求項２において、
前記底部躯体には前記調整具と螺合されるねじ孔が形成されており、前記調整具は前記ねじ孔に挿通されるねじであることを特徴とする収納家具。
【発明の詳細な説明】
【技術分野】
【０００１】
本発明は、住居等の建物のリビングやダイニングスペース等の居室空間、或いはキッチンや洗面化粧台、玄関等に設置される引出しを備えた収納家具に関する。
【背景技術】
【０００２】
上述のような収納家具としては、前方に開口した矩形の収納庫内に前後に引出し自在に収納される箱型引出しを備え、収納庫の開口部は引出しの前面に配置される前板によって閉塞されるよう構成されたものが知られている。
引出しは、引出しの前板と収納庫の開口部との間に隙間が生じることなく、精度よく収納庫内に納められるように、前板は底部に対して略垂直に取付けられる必要がある。しかしながら、引出しの寸法精度或いは組付け誤差、収納庫側や引出しを引出し自在とするために取付けられるレールに傾きがある場合などは、引出しの前板の上端或いは下端と収納庫の開口部との間に隙間が生じてしまう。
【０００３】
下記特許文献１には、レールをレールの奥行き方向の前後位置に配置したベースプレートを介してキャビネットの底板に取付け、さらにベースプレートを上下動させる高さ調整具をベースプレートの間口方向に離間させて設けたことを特徴とする前板調整機構が開示されている。
これによれば、前板の上部が前面側に傾斜している場合、ベースプレートと底板とを連結するビスを緩めるとともに、前部のベースプレートに設けられた３つの高さ調整具を右回転させてベースプレートと底板との隙間を広げ、後部のベースプレートに設けられた３つの高さ調整具を左回転させてベースプレートと底板の隙間を狭めることにより、前板の前面側への傾斜を調整することができるとされている。
【先行技術文献】
【特許文献】
【０００４】
【特許文献１】実開平０６−０８６５８９号公報
【発明の概要】
【発明が解決しようとする課題】
【０００５】
しかしながら、上記特許文献１に記載のものは引出しの前後方向の傾斜を調整するために、ビス、前部に設けられた高さ調整具及び後部に設けられた高さ調整具の両方を調整する必要があり、引出しをすべて収納庫から引き抜かなければ作業できず、調整作業に手間がかかる。また、ベースプレートの他、複数の高さ調整具を要するため部品点数が増えてしまう。更に高さ調整具で調整を行う引出し（ラック本体）とともに底板の下方に設けられたレールも上下動するので、高さ調整具による高さ調整の結果、レールに傾斜が生じることになると、引出しが勝手に前方向にスライドしてしまう可能性もある。
【０００６】
本発明は、上記実情に鑑みなされたものであり、引出しの傾きを容易に調整し、精度よく収納庫内に引出しを納めることができる収納家具を提供することを課題とする。
【課題を解決するための手段】
【０００７】
請求項１の発明に係る収納家具は、前方に開口した収納庫と、該収納庫の開口部を閉塞する前板を前面に有して前記収納庫内に前後にスライド自在に収納される引出しと、前記収納庫内の底部領域において前後方向に配置され固定される固定レールと、該固定レールと組み合わされ前記引出しを前後にスライド自在とする可動レールとを備えた収納家具であって、前記引出しは前記前板の下部と連結され前記前板を立上げ支持する底部躯体を有し、該底部躯体の前部側には、前記可動レールに対する前記底部躯体の前部の高さ位置を調整可能な調整具が設けられていることを特徴とする。
【０００８】
これによれば、前記底部躯体の前部側には、前記可動レールに対する前記底部躯体の前部の高さ位置を調整可能な調整具が設けられているので、引出しの前板の上端と収納庫の前側上端部との間に隙間が生じるなど、前板による収納庫の開口部の閉塞状態に不具合がある場合に、調整具の操作により、底部躯体の高さ調整を行って、引出し前部側を少し上下動させることで前板の立ち角を調整して、前板による閉塞状態の不具合を修正することができる。このとき、引出し側に設けた調整具の操作で可動レールに対する底部躯体の高さ調整を行うので、固定レールに対する可動レールのスライド軌道に傾斜が生じるなどの問題が生じることがない。しかも、引出しを収納庫の前方に引き出した状態で調整具の操作を行うことができるので、従来技術のように高さ調整前に引出しを全て一旦取外すという手間が必要ない。
【０００９】
本発明において、調整具は、その下端が前記可動レールの上面に当接する一方、その上部が前記底部躯体の前方側上面に露出するよう設けられ、該底部躯体の上方から前記調整具を操作可能とされるものとしてもよい。
これによれば、調整具の下端が可動レールの上面に当接する一方、その上部が前記底部躯体の前方側上面に露出するよう設けられ、該底部躯体の上方から前記調整具を操作可能とされるので、前記底部躯体の前方側上面に露出した前記調整具の上部を前記引出しの上方から手を差し入れて操作することができ、このとき、前記調整具の下端が前記可動レール上面に作用し、当該引出しの前部側が可動レールに対し上下位置が変位して、前板の立ち角の調整を行うことができる。すなわち、調整具を操作することによって容易に引出しの前板の上端或いは下端の納まり具合を調整できる。
【００１０】
また本発明は前記底部躯体には前記調整具と螺合されるねじ孔が形成されており、前記調整具は前記ねじ孔に挿通されるねじであるものとしてもよい。
これによれば、容易な構成で底部躯体前部の高さ位置の微調整を実現することができる。
【発明の効果】
【００１１】
本発明に係る収納装置によれば、底部躯体の前部側には、前記可動レールに対する前記底部躯体の前部高さ位置を調整可能な調整具が設けられているので、引出しの前板の上端或いは下端の納まり具合を容易に調整することができる。よって、引出しの前板と収納庫の開口部との間に隙間が生じることを防ぐことができるので、外観がきれいに見え、上記隙間を通じて引出し内に虫や埃などが侵入することを防ぐことができる。また調整具によって収納家具の設置現場で底部躯体前部の高さ位置の調整を容易にすることができる。更に調整具は底部躯体の前部側に設けられているので、収納庫に収納状態とした引出しをすべて引き抜かなくても、引出しを出し入れし前板の上端或いは下端と収納庫の開口部との隙間具合を確認しながら、調整作業ができるので作業がしやすい。
【図面の簡単な説明】
【００１２】
【図１】本発明に係る収納家具の一実施形態を模式的に示す概略側面図であり、引出しの傾きを調整する前の状態を示している。
【図２】本発明に係る収納家具の一実施形態を模式的に示す概略側面図であり、引出しの傾きを調整する後の状態を示している。
【図３】同収納家具の構造を説明するための概略正面断面図である。
【図４】同収納家具の構造を説明するための要部概略斜視図である。
【図５】同収納家具を用いたシステムキッチンのフロアユニットの一例を模式的に示す概略斜視図である。
【発明を実施するための形態】
【００１３】
本発明の実施形態について図１〜図５を参照しながら説明する。
本実施形態に係る収納家具は、システムキッチンにおいて床側に設置されるフロアユニット１の一部に組み込まれ、該フロアユニットの一部を構成するキッチン用の引出しキャビネット４に適用した例を示している。
図５に示すようにフロアユニット１の上面は、カウンター１１が設けられており、カウンター１１には、シンク２とコンロ３が設けられている。
カウンター１１の下方は、扉式或いは引出し式の収納庫を並設して構成され、調理器具や調味料などが収納できるキャビネット１２になっている。
カウンター１１のカウンター本体１１ａは人造大理石或いはステンレスなどからなり、調理台などとして使用される。シンク２はエポキシ系樹脂、人造大理石或いはステンレスなどからなり、野菜や食器、布巾などを洗ったりする場所として使用される。コンロ３は３口の電磁調理器（ＩＨヒータ）で構成された例を示しているが、２口であってもよいし、ガス調理器としてもよい。
【００１４】
引出しキャビネット４は、図１或いは図４などに示すように、前方に開口した箱状の収納庫１３と、該収納庫１３の開口部１３ａを閉塞する前板５を前面に有して収納庫１３内に前後にスライド自在に収納される引出し１４と、前板５と線材６を介して連結されるレール部材７（底部躯体）と、収納庫１３内の底部領域において前後方向に配置され収納庫１３側に固定される固定レール９と、該固定レール９と組み合わされ引出し１４を前後にスライド自在とする可動レール８とを備えている。図中５ａは前板５に設けられた取っ手、５ｂは前板５の上端、５ｃは前板５の下端、１３ｂは開口部の上端を示している。
【００１５】
前板５は前板５の裏面に固着された線状の金属材などからなる線材６で支持され、線材６は前板５とレール部材７とを連結しており、前板５を設置床面に対して略垂直に設けられるよう立上げ支持するため、略直角に折曲形成されている。なお、前板５と底部躯体を構成するレール部材７との連結構造は、図例に限定されず、前板５とレール部材７とが直接連結された構造としてもよいことはいうまでもない。
【００１６】
引出しキャビネット４の収納庫１３は、一升瓶など高さのあるものが収容できるよう縦長の方形状に構成され、収納庫１３内に引出し自在に収納される引出し１４には、上下２段のトレイ６０が設けられている。上段のトレイ６０には調味料などの小瓶などが収納できるようになっており、下段のトレイ６０には一升瓶やワインなど細長形状のものが収納できるようになっている。引出し１４の側部は上述の線材６で構成され、線材６は上述のトレイ６０を保持するよう折曲形成されている。図中６ａの線材は、ストッパー線材であり、例えば引出し１４を前後方向に出し入れする際などに収納物が傾いた場合でも、ストッパー線材６ａが収納物の倒れをガードし、収納庫１３の内側面に当たらないようにすることができる。
【００１７】
収納庫１３の下方内側壁には、引出し１４を引出し自在とするための固定レール９が両側に設けられており、該固定レール９は収納庫１３の下方内側壁の角部に取付けられるように断面略Ｌ字形状に構成されている（図３参照）。固定レール９には、組合わされて構成される可動レール８が前後方向にスライド自在となるように前後方向に回転するローラ８０とローラ８０を支持する軸部８１とを備えている。なお、このローラ８０は適所に複数個設けられるものであり、その構成は図例に限定されるものではない。
【００１８】
可動レール８は固定レール９のローラ８０に被さるように設けられ、可動レール８に前方向或いは後方向への力が加わるとローラ８０の回転によって前後方向にスライド自在となる。
レール部材７は可動レール８の上に設けられ、レール部材７の上には前板５、線材６及びトレイ６０などで構成される引出し１４が設けられている。レール部材７は底部領域の両側に計２本設けた可動レール８の上に跨るように構成され、図４に示すように引出し１４を前方向にスライドさせると線材６（図４では不図示）を介して連結されたレール部材７とともに可動レール８も前方向にスライドするようになっている。
【００１９】
レール部材７の前部側にはねじ孔７１が形成されており、ねじ孔７１にはねじ孔７１に螺合するねじからなる調整具１０が螺入されている。
調整具１０は、その下端がレール部材７を貫通して可動レール８の上面に当接するように両側２ヶ所に設けられている（図３、図４参照）。
【００２０】
次に図を参照しながら、引出し１４の傾きの微調整要領について説明する。図１は引出し１４の傾きを調整する前の状態、図２は引出し１４の傾きを調整した後の状態を示している。
図１に示すように収納庫１３に収納した引出し１４が前方向に下向き（前のめりの状態）に傾き、レール部材７の下面と可動レール８の上面との間に隙間がないような場合は（図１の一部拡大図参照）、調整具１０を工具などを用いて右に回すとレール部材７が持ち上がって可動レール８との当接状態（接触状態）が緩まる。そして、調整具１０を操作してレール部材７の前部が可動レール８から斜めに浮き上がった状態（図２の一部拡大図参照）となると、線材６を介して連結されている前板５が図２に示すように持ち上がる状態となり、調整具１０による操作によって収納庫１３の開口部１３ａの上端１３ｂと前板５の上端５ｂとの間に生じていた隙間をなくすことができる。
【００２１】
上述したように調整具１０がねじからなり、レール部材７に形成されたねじ孔７１に挿通されているので、右に回すと次第にレール部材７との締結位置が調整具１０の下端（先側）からねじ頭側へと移動する。調整具１０の下端が可動レール８の上面に当接する一方、調整具１０の上部がレール部材７の前方側上面に露出するよう設けられ、レール部材７の上方から調整具１０を操作可能に設けられているから、調整具１０を右に回していくと段々レール部材７の前部が可動レール８から浮き上がる状態となる。一方調整具１０を左に回すと逆の状態となるため、レール部材７と可動レール８とが接触状態に近づいていく。
またこのとき、調整具１０はレール部材７の前部側に設けられているので、引出し１４の上方から手を差し入れて操作をすることができるので、引出し１４全てを一旦収納庫１３から取り外す必要がなく、図４に示す程度に引出し１４の前部をスライドさせた状態で調整具１０を少し右に回したり少し左に回したりしながら、前板５による閉塞状態の不具合、傾き具合の微調整作業を行うことができる。
ここでは、図１に示すように引出し１４が前方向に下向きに傾いている場合を調整する例について説明したが、引出し１４が後方向に下向きに傾いている場合も同じように調整具１０を操作して傾きの微調整を行うことができる。
【００２２】
このようにして調整具１０の操作により、レール部材７の前部の高さ位置を微調整し、引出し１４前部側を少し上下動させることで、前板５の立ち角を微調整して、前板５の上端５ｂ或いは下端５ｃの閉塞状態、納まり具合を容易に調整することができる。またこのように引出し１４の前板５の上端５ｂ或いは下端５ｃと収納庫１３の開口部１３ａとの間に隙間が生じることを防ぐことができるので、隙間を通じて引出し１４内に虫や埃などが侵入することを防ぐことができる。
更に側部が線材６で構成され大きな外力に対して形状保持の安定性がそれほど大きくない縦長の方形状引出し１４であっても、上述のように隙間を生じさせることのないものとすることができるので、フロアユニット１に組込まれた際には図５に示すように他のキャビネットと調和して全体として美しい外観を備えたものとなる。
【００２３】
以上、引出しキャビネット４、前板５、レール部材７、可動レール８、固定レール９などの構成、形状は図例のものに限定されず、例えば前板５は２枚に分割された前板からなるものにも採用できる。またここでは縦長の引出しキャビネット４を示しているので、収納空間を確保するために可動レール８及びレール部材７が底部に設けられ、底部躯体がレール部材７である場合を説明したが、底部躯体は引出し１４の底板であってもよく、底板に前板が連結されている例にも適用することができる。さらに調整具１０も図例のねじの構成に限定されるものではなく、底部躯体の前部の高さ位置を調整可能な調整具であればよい。
【符号の説明】
【００２４】
４      引出しキャビネット（収納家具）
１３      収納庫
１３ａ      開口部
１４      引出し
５      前板
７      レール部材（底部躯体）
８      可動レール
９      固定レール
１０      調整具
【図１】
2010194006.tif 000003
【図２】
2010194006.tif 000004
【図３】
2010194006.tif 000005
【図４】
2010194006.tif 000006
【図５】
2010194006.tif 000007